(57)【要約】【課題】従来、名刺に記載されていたQRコード等のコード情報は、モザイク状の画像のため、本来目立つべき企業情報及び個人情報より目立ってしまい、その利用が避けられている可能性があった。また、他社サイトへのリンク情報を含んだコード情報が名刺に記載されることは混乱を生む可能性があった。【解決手段】本発明は名刺に記載するコード情報の配置位置を変更するため、名刺に記載されていても邪魔にならず、他社サイトのコード情報を目立たせずに表示し混乱を避ける効果を有する。【選択図】図１
2008213285.tif 000002
【特許請求の範囲】
【請求項１】
企業等の団体又は個人のホームページへアクセスする為のURLを含んだ第１のコード情報を配置する第１の配置手段と、企業情報及び個人情報を電子化した名刺データベースへアクセスする為のURLを含んだ第２のコード情報を配置する第２の配置手段とを備え、第２のコード情報は第１のコード情報よりも、前記企業情報及び前記個人情報から離れた位置に配置するよう制御する制御手段を備えた名刺作成装置。
【請求項２】
企業等の団体又は個人のホームページへアクセスする為のURLを含んだ第１のコード情報を配置する第１のステップと、企業情報及び個人情報を電子化した名刺データベースへアクセスする為のURLを含んだ第２のコード情報を配置する第２のステップとを備え、第２のコード情報は第１のコード情報よりも、前記企業情報及び前記個人情報から離れた位置に配置する名刺作成方法。
【請求項３】
企業等の団体又は個人のホームページへアクセスする為のURLを含んだ第１のコード情報と、企業情報及び個人情報を電子化した名刺データベースへアクセスする為のURLを含んだ第２のコード情報とを備え、第２のコード情報は第１のコード情報よりも、前記企業情報及び前記個人情報から離れた位置に配置する名刺。
【請求項４】
第２のコード情報は、前記名刺データベースサイトを管理する管理者を示すコード情報である請求項１に記載の名刺。
【請求項５】
企業情報及び個人情報を電子化した名刺データベースサイトへのリンク情報を含んだバーコード、二次元バーコード、QRコード等のコード情報で、前記企業情報及び前記個人情報以外のコード情報を備えた名刺で、前記コード情報を、前記企業情報及び個人情報から離れた位置に配置した名刺。
【発明の詳細な説明】
【技術分野】
【０００１】
本発明は、名刺に記す企業情報及び個人情報等を含んだコード情報の表示方法及び装置に関する。
【背景技術】
【０００２】
従来、企業情報を含むバーコード、二次元バーコード、ＱＲコード等のコード情報を名刺に記載して、企業のホームページへ誘導する名刺は企業ではよく使われている。また、企業情報及び個人情報等を電子化した名刺データベースサイトへのリンク情報を含むコード情報を名刺に記載し、名刺データベースサイトと通信する例は知られている（特許文献１）。
【０００３】
上記特許文献１では名刺にコード情報を付して、名刺に記載される文字列情報だけでなく、顔写真や地図などの画像情報も記憶できる例を示している。
【０００４】
【特許文献１】特開２００３−３６４１５
【発明の開示】
【発明が解決しようとする課題】
【０００５】
上述の企業情報を含むコード情報のみが名刺に記載されている例は、その企業のホームページのみ閲覧可能である。また特許文献２は企業情報及び個人情報等を電子化した名刺データベースサイトへのリンク情報を含むコード情報のみが名刺に記載される例であり、名刺データベースサイトへ誘導するが、企業のサイトへ直接誘導することができない。
【０００６】
本発明は、上述の両方のコード情報を含むものであり、コード情報の使用を切り替えることにより企業のサイトへの直接誘導及び名刺のデータベース化の両方を実現するものである。
【課題を解決するための手段】
【０００７】
本発明の請求項１は、企業等の団体又は個人のホームページへアクセスする為のURLを含んだ第１のコード情報を配置する第１の配置手段と、企業情報及び個人情報を電子化した名刺データベースへアクセスする為のURLを含んだ第２のコード情報を配置する第２の配置手段とを備え、第２のコード情報は第１のコード情報よりも、前記企業情報及び前記個人情報から離れた位置に配置するよう制御する制御手段を備えた名刺作成装置を提供するものである。
【０００８】
本発明の請求項２は、企業等の団体又は個人のホームページへアクセスする為のURLを含んだ第１のコード情報を配置する第１のステップと、企業情報及び個人情報を電子化した名刺データベースへアクセスする為のURLを含んだ第２のコード情報を配置する第２のステップとを備え、第２のコード情報は第１のコード情報よりも、前記企業情報及び前記個人情報から離れた位置に配置する名刺作成方法を提供するものである。
【０００９】
本発明の請求項３は、企業等の団体又は個人のホームページへアクセスする為のURLを含んだ第１のコード情報と、企業情報及び個人情報を電子化した名刺データベースへアクセスする為のURLを含んだ第２のコード情報とを備え、第２のコード情報は第１のコード情報よりも、前記企業情報及び前記個人情報から離れた位置に配置する名刺を提供するものである。
【００１０】
本発明の請求項４は、第２のコード情報は、前記名刺データベースサイトを管理する管理者を示すコード情報である請求項１に記載の名刺を提供するものである。
【００１１】
本発明の請求項５は、企業情報及び個人情報を電子化した名刺データベースサイトへのリンク情報を含んだバーコード、二次元バーコード、QRコード等のコード情報で、前記企業情報及び前記個人情報以外のコード情報を備えた名刺で、前記コード情報を、前記企業情報及び個人情報から離れた位置に配置した名刺を提供するものである。
【発明の効果】
【００１２】
上述のように、第１のコード情報と第２のコード情報との両者が名刺上に同じ大きさで印刷されていると、どちらが第１のコード情報でどちらが第２のコード情報なのか判別できず、混乱を生む可能性がある。本発明のように第２のコード情報を第１のコード情報より企業情報及び個人情報から離れた位置に表示することで、第１のコード情報に比べて第２のコード情報を目立たせなく表示することが可能となり、利用者の混乱を避けることができる。また、第２のコード情報のみの場合にも、企業情報や個人情報の近くに記載されていると、利用者に第２のコード情報が第１のコード情報と勘違いされてしまう恐れがある。本発明のように、第２のコード情報を企業情報及び個人情報から離れた位置に表示することで、企業情報及び個人情報と第２のコード情報との直接的な関係が無いことを利用者に伝えることができる。
【発明を実施するための最良の形態】
【００１３】
以下、本発明の実施の形態を図１、図２に基づいて説明する。
【００１４】
図１において、１は名刺を示し、２は企業情報、３は個人情報、４は第１のコード情報、５は第２のコード情報を示す。
図２のブロック図を、図３のフローチャートをもとに説明すると、Ｓ１に示すように、名刺１に記載する第１のコード情報４及び第２のコード情報５を制御装置６に入力する。Ｓ２に示すように、第１のコード情報４及び第２のコード情報５を制御装置６で第１のコード情報４であるか判別する。Ｓ３に示すように、第１のコード情報４は名刺１の企業情報２及び個人情報３の近くに配置し、第１のコード情報４以外の第２のコード情報５は企業情報２及び個人情報３から離れた位置に配置する。
【００１５】
上述のように、本発明は第２のコード情報が第１のコード情報より企業情報及び個人情報等から離れた位置に配置されるため、第１のコード情報と第２のコード情報を混同せず利用者が第２のコード情報を第１のコード情報と間違えることが起こらない。また、前記企業情報及び前記個人情報より中心から離れた端に近い位置に配置されるため、前記企業情報及び前記個人情報と第２のコード情報が直接的な関係がないことを示すことが可能である。
【００１６】
本発明の実施例では名刺について説明したが、名刺ばかりでなく名刺に相当するようなグリーティングカードや挨拶状等の印刷物でもよい。
【図面の簡単な説明】
【００１７】
【図１】本発明の実施形態を示すブロック図
【図２】本発明の実施形態を示すフローチャート
【図３】本発明のコード情報配置制御装置ブロック図
【符号の説明】
【００１８】
１    名刺
２    企業情報
３    個人情報
４    第１のコード情報
５    第２のコード情報
６    制御装置
【図１】
2008213285.tif 000003
【図２】
2008213285.tif 000004
【図３】
2008213285.tif 000005